(57)【特許請求の範囲】
【請求項１】
掃除機本体と、
吸込側を下側に向けて前記掃除機本体に上下方向に移動可能に収容された電動送風機と、
前記掃除機本体に対して着脱可能に設けられ、この掃除機本体への装着状態で前記電動送風機の吸込側に連通する開口部と、取手とを有し、前記電動送風機による吸込にて塵埃を集塵する集塵部と、
前記電動送風機を保持可能であるとともに、前記集塵部を前記掃除機本体に装着する際に前記取手により押圧されることで前記電動送風機の保持を解除するレバー体と、
前記電動送風機の吸込側に取り付けられ、前記レバー体での保持の解除による前記電動送風機の自重での吸込側への移動により、この電動送風機の吸込側と前記開口部とに挟持されてこれら電動送風機の吸込側と開口部とを気密に接続する封止手段と
を具備したことを特徴とした電気掃除機。
【請求項２】
集塵部は、電動送風機の吸込側への開口部の連通により位置決めされる
ことを特徴とした請求項１記載の電気掃除機。
【発明の詳細な説明】
【０００１】
【発明の属する技術分野】
本発明は、電動送風機による吸込風から塵埃を集塵する電気掃除機に関する。
【０００２】
【従来の技術】
従来、この種の電気掃除機は、中空な掃除機本体としての本体ケースを備えており、この本体ケースの内部には、この本体ケース内を上下に分割させる分割リブが区画形成されている。そして、この分割リブの後側の中心部には、円形状の連通口が開口されている。また、この分割リブより上側である本体ケースの内部には、吸込側を下方に向けた電動送風機が収容されている。この電動送風機の吸込側は、封止手段としての円環状のパッキンを介して分割リブの連通口の上側に気密に連通接続されている。
【０００３】
さらに、分割リブより下側である本体ケース内には、電動送風機による吸込にて吸い込まれた塵埃を内部に集塵させる集塵部としての集塵カップが取り外し可能に取り付けられる。この集塵カップは、分割リブより下側である本体ケースの後側からこの本体ケースに着脱可能である。また、この集塵カップは、略有底円筒状のカップ部を備えており、このカップ部の上端部には、円形の開口部が開口されている。さらに、このカップ部の上側側面には、このカップ部内に吸込風を流入させる流入口が穿設されている。また、本体ケースの分割リブの連通口の下側開口縁には、本体ケースに収容させた集塵カップの開口部に連通口の下側を気密に連通させて、この集塵カップの開口部を電動送風機の吸込側に気密に連通接続させる封止手段としてのパッキンが取り付けられている。
【０００４】
【発明が解決しようとする課題】
しかしながら、従来の電気掃除機では、電動送風機と本体ケースの分割リブの上側との間、およびこの分割リブの下側と集塵カップとの間のそれぞれにパッキンを設けているので、これら複数のパッキンがそれぞれ必要であるとともに、シールする箇所が２箇所となり、漏れが生じる可能性がある。
【０００５】
本発明は、このような点に鑑みなされたもので、パッキンなどの封止手段の構成を簡単にしつつ電動送風機の吸込側と集塵部の開口部とを確実に気密に連通できる電気掃除機を提供することを目的とする。
【０００６】
【課題を解決するための手段】
本発明の電気掃除機は、吸込側を下側に向けて掃除機本体に上下方向に移動可能に収容された電動送風機と、掃除機本体に対して着脱可能に設けられ、この掃除機本体への装着状態で電動送風機の吸込側に連通する開口部と、取手とを有し、電動送風機による吸込にて塵埃を集塵する集塵部と、電動送風機を保持可能であるとともに、集塵部を掃除機本体に装着する際に取手により押圧されることで電動送風機の保持を解除するレバー体と、電動送風機の吸込側に取り付けられ、レバー体での保持の解除による電動送風機の自重での吸込側への移動により、この電動送風機の吸込側と開口部とに挟持されてこれら電動送風機の吸込側と開口部とを気密に接続する封止手段とを具備したものである。そして、掃除機本体に集塵部を取り付けた状態で、この集塵部の取手がレバー体を押圧することでこのレバー体による電動送風機の保持が解除されて電動送風機が自重によって吸込側である下側へと移動することにより、この電動送風機の吸込側に取り付けた封止手段が電動送風機の吸込側と集塵部の開口部側とで挟持されてこの電動送風機の吸込側が集塵部の開口部に気密に連通するので、封止手段の構成が簡単となるとともに、電動送風機の吸込側と集塵部の開口部とが確実に気密に連通される。
【０００７】
【発明の実施の形態】
以下、本発明の電気掃除機の一実施の形態の構成を図１ないし図９を参照して説明する。
【０００８】
図１ないし図９において、１は掃除装置としての電気掃除機で、この電気掃除機１は、工場や住居内などの被掃除面としての床面上を自立移動としての自立走行、すなわち自走可能な掃除機本体２を備えている。この掃除機本体２は、略円形平板状の底板部３の外周縁に、上端が閉塞された円筒状の周面部としてのケース体４の下端縁を嵌合させて構成されている。
【０００９】
また、底板部３における掃除機本体２の走行方向に対する両側域には、この掃除機本体２を被掃除面としての床面上で走行、すなわち移動させる移動手段としての一対の走行輪５が回転自在に取り付けられている。これら走行輪５は、底板部３における掃除機本体２の走行方向に対する両側域に開口された細長略矩形状の嵌込口６に嵌め込まれて、これら走行輪５における一部の外周縁が掃除機本体２内からこの掃除機本体２の下側へと突出している。
【００１０】
さらに、これら走行輪５それぞれの内側である底板部３上には、これら走行輪５の回転駆動を制御する車輪駆動制御手段７がそれぞれ取り付けられている。この車輪駆動制御手段７は、磁気クラッチや電動機などにて構成されている。また、底板部３の裏面における掃除機本体２の走行方向に対する後側には、この底板部３の面方向に沿って旋回する旋回輪８が回転自在に取り付けられている。この旋回輪８は、図１および図２に示すように、走行輪５間における中間の後方に取り付けられている。
【００１１】
また、掃除機本体２の底板部３の前側には、上方に向けて傾斜した傾斜面９が形成されている。この傾斜面９は、掃除機本体２によるドアレールなどの段差を乗り越えやすくさせる。
【００１２】
一方、掃除機本体２内である底板部３の中心部には、床面に対向して開口した細長矩形状の本体吸込口11が設けられている。この本体吸込口11は走行輪５の間であるとともに、掃除機本体２の走行方向に直角に交わる方向である掃除機本体２の径方向に沿った長手方向を有している。さらに、この本体吸込口11の基端側は、図示しない管状体としての連結管を介して掃除機本体２のケース体４の後方から着脱可能に取り付けられた集塵部としての集塵カップ12に気密に連通接続されている。この集塵カップ12は、吸い込んだ吸込風を旋回させて、この吸込風とともに吸い込んだ塵埃を自重による遠心分離にて吸込風から分離して、この塵埃を内部に集塵させる。
【００１３】
また、この集塵カップ12は、掃除機本体２の底板部３上の後側に区画形成されたカップ収容部13に後方に向けて開口したカップ収容口14からこのカップ収容部13内に取り外し可能に収容される。さらに、この集塵カップ12は、有底略円筒状のカップ部15を備えており、このカップ部15は、平板円形状の底面部16の外周縁から上方に向けて円筒状の底面部17が連結されている。そして、この底面部17の上端部には、円形状の開口部18が開口されており、この底面部17は、底面部16側から開口部18側に向けて徐々に拡径したテーパ状に形成されている。
【００１４】
さらに、このカップ部15の底面部17における開口部18側には、図１に示すように、本体吸込口11の基端側に連結管を介して気密に連通接続される連結口としての円形状の流入口19が開口されている。また、このカップ部15の開口部18の開口内縁には、この開口部18の開口方向に向かう段状の嵌合段部20が、この開口部18の周方向に沿って形成されている。
【００１５】
そして、カップ部15の流入口19に略対向したカップ部15の底面部17における開口部18側には、このカップ部15を掃除機本体２から取り外しあるいは取り付ける際の取手であるハンドル体21の長手方向における一端域である上端域が連結されている。このハンドル体21における上側中間部がカップ部の外側面に連結されており、このハンドル体21の他端部である下端部は、細長平板状の棒状体を円弧状に湾曲させて構成された把持部22となる。この把持部22の下端部である先端部は、カップ部15の底面部16より下方へと突出している。さらに、この把持部22は、カップ部15をカップ収容口14からカップ収容部13内に取り付けた際に、ケース体４の外側面より外側に向けて突出する。
【００１６】
また、ハンドル体21の上端部は、カップ部15の上端面である開口部18の開口端面より上方に向けて突出して押圧凸部23となっており、この押圧凸部23は、カップ部15の外側面から離間されて鉛直に突出している。よって、ハンドル体21の長手寸法は、カップ部15の高さ寸法より大きい。
【００１７】
さらに、カップ部15の開口部18には、このカップ部15の流入口19から流入された吸込風によるこのカップ部15内での遠心分離では分離できなかった微細な塵埃である細塵を捕捉する捕捉部としての円形平板状のフィルタ体24が取り外し可能に取り付けられている。このフィルタ体24は、カップ部15の開口部18を閉塞し、モータ31への塵埃の吸込を防止して、このモータ31の破損を防止する。
【００１８】
一方、掃除機本体２内におけるカップ収容部13の上側には、このカップ収容部13の上端面を構成し、ケース体４内における後側を上下方向に分割する水平方向に沿った板体としての平板状の分割リブ25が一体的に形成されている。そして、この分割リブ25には、ケース体４における後側を上下方向に向けて貫通させる連通口26が開口形成されている。この連結口26は、分割リブ25の後側を凹弧状に切り欠いて形成されている。
【００１９】
また、この連通口26の互いに対向した両側縁より後側のそれぞれには、図７に示すように、円筒状の軸体としての一対の係合ピン27が互いの軸方向を一致させた状態で突設されている。これら各係合ピン27の先端部のそれぞれには、これら係合ピン27の基端域の外径寸法より径大な外径寸法を有する円板状の抜止縁部28が、これら各係合ピン27の同心状に一体的に取り付けられている。
【００２０】
さらに、分割リブ25より上側であるケース体４内には、本体吸込口11から塵埃とともに吸気風を吸い込ませる吸込手段としての電動送風機であるモータ31が内部に収容されて、このモータ31を上下方向に向けて移動可能にさせる筐体としてのケース体である下端面が開口した有底円筒状のモータケース32が上下方向に向けて移動可能に取り付けられている。このモータケース32の内部には、吸込側を下側に向け排気側を上側に向けた状態でモータ31が収容されている。また、このモータケース32は、分割リブ25の連通口26が挿通可能となるように、この連結口26の内径寸法より若干小さな外径寸法を有している。
【００２１】
そして、このモータケース32の上端面には、モータ31を通過した排気風を外部へと排気させる排気口33が複数開口されており、このモータケース32の下端面には、モータ31の吸込側を外部に連通させる円形状の吸気口34が開口されている。この吸気口34は、モータ31の吸込側をモータケース32の外部へと連通させる。
【００２２】
ここで、モータ31の吸込側には、集塵カップ12の開口部18に着脱可能に嵌合されてこの開口部18をモータケース32の吸気口34に気密に密閉して連通接続させることにより、この開口部18をモータ31の吸込側に気密に密閉して連通させる封止手段としての略円筒状のモータパッキン35が嵌合されて同心状に取り付けられている。このモータパッキン35は、ゴムなどの弾性を有する素材にて成形されており、基端側がモータ31の吸込側に嵌合され、先端側がモータケース32の吸気口34に内側から嵌挿されている。
【００２３】
また、このモータパッキン35の軸方向における先端部である下端部の外側面には、集塵カップ12のカップ部15の嵌合部としての嵌合段部20に嵌合されて、このモータパッキン35をカップ部15の開口部18に気密に連通させる段状の保持部としての嵌合受部36が、このモータパッキン35の周方向に沿って形成されている。さらに、このモータパッキン35の軸方向における基端部である上端部の開口縁には、モータケース32の吸気口34の開口内縁に嵌合されて、モータ31の吸込側をモータケース32の吸気口34に気密に連通させる段状の係合段部37が周方向に沿って形成されている。
【００２４】
さらに、モータケース32より後側であるケース体４の後側の外側面には、このモータケース32を上下方向に移動させる移動手段としての略矩形板状スライドスイッチ41が取り付けられている。このスライドスイッチ41は、モータケース32内のモータ31の水平状態を維持したまま、このモータ31を上下方向に向けて移動させるレバーである。
【００２５】
そして、このスライドスイッチ41の裏面には、図４に示すように、円柱状の一対の連結体42が一体的に突設されている。これら一対の連結体42は、水平方向に向けて離間されて設けられている。また、これら一対の連結体42は、掃除機本体２のケース体４の後側の外側面に開口された長穴状の挿通孔43に挿通されて、上下方向に向けて移動可能である。すなわち、これら挿通孔43のそれぞれは、上下方向に沿った長手方向を有する長穴状に形成されている。
【００２６】
さらに、一対の連結体42それぞれの先端部は、ケース体４の後側の内側面に沿った略円弧状の外側面を有するレバー体44の中央部に連結されている。このレバー体44は、細長平板状の板体の幅方向を鉛直方向に向けた状態で、長手方向を水平に円弧状に湾曲させた略平板円弧状である。さらに、このレバー体44は、ケース体４の内径寸法と略等しい外側面を有し、このケース体４の後側の外側面の内側に上下方向に向けて摺動可能、すなわち移動可能に配設されている。
【００２７】
また、このレバー体44の長手方向における中央部には、このレバー体44より下方に向けて面一に突出した略矢先状の係合片部45が一体的に面一に突設されている。この係合片部45の先端部における両側には、基端側に向けて徐々に幅広となるように傾斜した係合凸部46がそれぞれ形成されている。
【００２８】
そして、これら係合凸部46は、図６および図８に示すように、掃除機本体２の分割リブ25の連通口26の後側に設けられた凹状の係合凹部47の両側縁から突出した係合受部48に係脱可能に係合する。ここで、これら各係合受部48には、レバー体44の係合片部45の各係合凸部46の基端面が係脱可能に係合する。また、これら各係合凹部47と分割リブ25の連通口26の開口縁との間には、上下方向に沿った面方向を有する平板状の支持板部49が間隙を介して取り付けられている。すなわち、この支持板部49と係合凹部47との間には、レバー体44の係合片部45の厚さ寸法より若干大きな幅寸法を有する間隙部50が形成されている。
【００２９】
また、レバー体44の係合片部45の中央部には、略矩形状の貫通凹部51が設けられている。この貫通凹部51は、係合片部45の厚さ方向に向けて貫通しており、この係合片部45における幅方向への弾性変形を容易にさせる。
【００３０】
ここで、レバー体44の係合片部45は、この係合片部45の各係合凸部46を分割リブ25の係合凹部47の係合受部48に係合させた状態で、掃除機本体２のカップ収容口14からこの掃除機本体２内のカップ収容部13に集塵カップ12のカップ部15を収容させる際に、この集塵カップ12のハンドル体21の押圧凸部23にて押圧されて、この係合片部45の各係合凸部46による分割リブ25の係合凹部47の係合受部48への係合が解除される。
【００３１】
さらに、このレバー体44の長手方向における両側縁には、互いに平行な面方向を有する平板状の連結片部52がそれぞれ一体的に突設されている。そして、これら一対の連結片部52それぞれの外側面には、互いに対向して突出した円柱状の連結軸としてのピン体53が一体的に設けられている。これら各ピン体53には、これらピン体53を介して連結部としての平板状のヒンジ体54の基端側がそれぞれ回転可能に取り付けられている。これらヒンジ体54は、互いに一致した回転軸を有しており、鉛直方向に沿って回転する。
【００３２】
また、これら各ヒンジ体54それぞれの下側の略中央部には、略凹状に切り欠かれた支持凹部55がそれぞれ形成されている。これら各支持凹部55は、各ヒンジ体54の厚さ方向に向けて貫通している。さらに、これら各支持凹部55は、各ヒンジ体54を前後方向に向けて移動可能にするために、係合ピン27の外径寸法より大きな幅寸法を有している。そして、これら各支持凹部55それぞれの厚さ方向における内側縁には、分割リブ25の係合ピン27の抜止縁部28が回転可能に係合されて、これら各係合ピン27にて回転可能に支持されている。
【００３３】
さらに、各ヒンジ体54の上側の先端部には、段状に切り欠かれた押上段部56がそれぞれ形成されている。これら押上段部56は、各ヒンジ体54の厚さ方向に向けて貫通している。そして、これら各押上段部56のそれぞれは、図５に示すように、モータケース32の外側面における互いに略対向した両側部に設けられた押上凸部57の下側面に形成された平坦な押上面58に当接して係合している。これら各押上凸部57は、互いに対向した方向に向けて突出した矩形板状に形成されている。さらに、これら各押上凸部57の押上面58は、モータケース32の下端面に沿っている。
【００３４】
また、これら各押上凸部57それぞれの先端部は、分割リブ25の互いに対向した両側縁に形成された断面凹状の嵌合溝部59に上下方向に向けて摺動可能、すなわち移動可能に嵌合されている。この嵌合溝部59は、掃除機本体２の上下方向に沿った凹溝状に形成されており、モータケース32内のモータ31の水平状態を維持した状態で、このモータケース32を上下方向に向けて移動させる。
【００３５】
ここで、これら各ヒンジ体54は、スライドスイッチ41を下方へと移動させてレバー体44の係合片部45の係合凸部46をケース体４の係合凹部47の係合受部48に係合させることにより、これら各ヒンジ体54が分割リブ25の各係合ピン27に支持された状態で回転して、これら各ヒンジ体54の押上段部56が上方へと移動し、これら押上段部56にてモータケース32の押上凸部57を介してこのモータケース32を上方へと移動させ、集塵カップ12の開口部18に対するモータパッキン35による気密な嵌合を解除させて、この集塵カップ12のカップ部15を掃除機本体２のカップ収容口14から取り外し可能にする。
【００３６】
一方、図１に示すように、掃除機本体２のケース体４における前側の外側面の下側には、掃除機本体２の周囲の状態を検知する検知手段としての接触制御部である非接触型センサ61が複数、例えば７個取り付けられている。これら各非接触型センサ61は、設計時に予め設定された掃除機本体２にて乗り越え可能な高さ以上の高さの段差などの障害物を検知する。
【００３７】
そして、これら非接触型センサ61は、ケース体４の径方向に向けてこのケース体４の前側中央から周方向に沿って間隔を介して配設されている。これら非接触型センサ61は、赤外線を発光させて所定距離に存在する障害物を検知する赤外線センサや、撮影される画像にて障害物を検知する画像センサなどである。
【００３８】
さらに、集塵カップ12より前側であるケース体４内には、いずれかの非接触型センサ61による接触物の検知に基づいて、車輪駆動制御手段７を介して走行輪５の回転駆動を制御して掃除機本体２を自走させる制御手段としての制御回路62が取り付けられている。この制御回路62は、本体吸込口11より後側の底板部３上に取り付けられている。さらに、この制御回路62は、モータ31に接続されて、このモータ31の駆動状態を制御する。
【００３９】
そして、カップ収容部13より下側であるケース体４の後側の側面部には、モータ31の電源となるバッテリとしての電池パックである略直方体状の二次電池63を取り外し可能に掃除機本体２内に収容させる矩形状の電池収容口64が開口されている。ここで、二次電池63は、掃除機本体２から取り出して、図示しない充電台への設置にて充電される外部充電式であり、制御回路62に電力を供給して、この制御回路62による制御に従ってモータ31、走行輪５の回転を駆動させる。
【００４０】
さらに、電池収容口64は、掃除機本体２の後方に向けて水平に開口しており、この掃除機本体２の進行方向における左右方向に向けた長手方向を有する細長矩形状に形成されている。そして、この電池収容口64内には、ケース体４内に二次電池63を収容させる電池収容室65が区画形成されている。さらに、この電池収容口64には、この電池収容口64を開閉可能に閉塞してこの電池収容口64からの二次電池63の離脱を防止する平板状の蓋体としてのドアである電池保持蓋66が取り付けられている。
【００４１】
この電池保持蓋66は、図９に示すように、電池収容口64を閉塞した際に掃除機本体２のケース体４の外側面と面一になる円弧状に湾曲されている。また、この電池保持蓋66の長手方向における一側縁が、電池収容口64の一側縁に回動可能に接続されている。さらに、この電池保持蓋66の長手方向における他側縁には、電池収容口64の他側縁に形成された凹状の係合縁部67に係脱可能に係合する鈎状の係合爪部68が一体的に形成されている。
【００４２】
ここで、この電池保持蓋66は、二次電池63が収容された電池収容口64をこの電池保持蓋66にて閉塞した状態で、カップ収容部13に集塵カップ12を取り付けることにより、この集塵カップ12のハンドル体21の下端部により押し付けられて、電池収容口64に保持固定される。すなわち、電池収容室65内に収容された二次電池63は、カップ収容部13に収容された集塵カップ12のハンドル体21の下端部による電池保持蓋66の保持により、電池収容室65内に間接的に保持される。
【００４３】
次に、上記一実施の形態の掃除動作を説明する。
【００４４】
まず、掃除機本体２が工場内や住居内などを走行するための走行経路や掃除する領域の間取り、家具の配置、走行する時刻や走行する時間間隔などの自立走行条件やモータ31による掃除条件などのデータを制御回路62に入力しておく。
【００４５】
そして、予め設定した時刻となると、掃除機本体２の制御回路62に予め設定した自立走行条件や掃除条件などのデータに基づいて、走行輪５およびモータ31が適宜駆動される。
【００４６】
ここで、走行輪５は、制御回路62による車輪駆動制御手段７を介した制御により回転駆動されて、掃除機本体２を床面の略全域において走行させる。
【００４７】
このとき、制御回路62は、モータ31に供給する電力を制御して、本体吸込口11から吸気風とともに床面上の塵埃を吸い込む。
【００４８】
そして、この本体吸込口11から吸い込まれた吸込風は、連結管を介して集塵カップ12の流入口19からこの集塵カップ12のカップ部15内へと吸い込まれた後、このカップ部15内にてこのカップ部15の底面部17における接線方向に向けて渦巻き状に旋回するとともに、この吸込風の旋回に伴ってこの吸込風とともに吸い込まれた塵埃が旋回する。
【００４９】
すると、この塵埃は、渦巻き状に吸い込まれた吸込風による渦流の遠心力により、カップ部15の底面部17における内側面に沿うように移動し自重で落下して吸込風から分離されて、このカップ部15内に集塵される。
【００５０】
一方、このカップ部15内で旋回した吸込風は、このカップ部15の底面部17における中心軸に位置する渦流の中心から、カップ部15の開口部18に取り付けたフィルタ体24を通過する。このとき、カップ部15内の遠心分離では分離できなかった微細な塵埃が、このフィルタ体24にて捕捉される。
【００５１】
さらに、このフィルタ体24を通過した吸込風は、モータパッキン35を介してモータケース32内のモータ31の吸込側へと吸い込まれて排気風となる。
【００５２】
そして、この排気風は、モータ31の排気側から排気された後、モータケース32の排気口33から外部へと排気される。
【００５３】
また、掃除機本体２の走行および吸塵にて二次電池63の電荷の残量が少なくなると、制御回路62により車輪駆動制御手段７を介して走行輪５の回転駆動を適宜制御して所定位置まで走行させる。
【００５４】
さらに、全領域を走行して掃除が終了した場合には、制御回路62によりモータ31の駆動を停止させるとともに、車輪駆動制御手段７を介して走行輪５を適宜制御して所定位置まで走行させる。
【００５５】
ここで、掃除中に、掃除機本体２の非接触型センサ61にて所定距離に位置する障害物の存在を検知した場合には、制御回路62が車輪駆動制御手段７を介して走行輪５の回転駆動を制御して、この障害物への接触を回避させるとともに、モータ31への電力の供給量を大きくして本体吸込口11からのモータ31による吸込力を大きくする。
【００５６】
次に、上記一実施の形態の組み立て動作を説明する。
【００５７】
まず、掃除機本体２のカップ収容部13に収容した集塵カップ12のカップ部15内の塵埃を取り除く場合には、この掃除機本体２のスライドスイッチ41を下方に向けて移動させて、ケース体４内にてレバー体44を下方へと移動させ、このレバー体44の係合片部45の各係合凸部46それぞれをケース体４の係合凹部47の各係合受部47のそれぞれに係合させる。
【００５８】
このとき、このレバー体44の下方への移動により、各ヒンジ体54の支持凹部55がケース体４の分割リブ25の係合ピン27にて支持された状態で、これら各ヒンジ体54がレバー体44の各ピン体53を回転中心として回転して、これら各ヒンジ体54の押上段部56が上方へと移動する。
【００５９】
すると、これら各押上段部56の上方への移動により、これら各押上段部56にてモータケース32の押上凸部57の押上面58が上方へと押し上げられる。
【００６０】
このため、このモータケース32が分割リブ25の連通口26内を上方に向けて移動して、図３に示すように、このモータケース32の吸気口34から突出したモータパッキン35による集塵カップ12の開口部18への気密な嵌合が解除されるとともに、この解除された状態がレバー体44の係合片部45によるケース体４の係合凹部47への係合にて保持される。
【００６１】
この後、集塵カップ12のハンドル体21の把持部22を把持し、この集塵カップ12を掃除機本体２のカップ収容部13から引き出して取り出した後、この集塵カップ12の開口部18からフィルタ体24を取り外すことにより、この集塵カップ12のカップ部15内に集塵された塵埃を取り除くことが可能となるとともに、この集塵カップ12のハンドル体21の下端部による電池収容蓋29の保持固定が解除される。
【００６２】
よって、この電池収容蓋29の開動作にて電池収容口64を開口させることにより、この電池収容口64から電池収容室65内の二次電池63を取り出すことが可能となる。さらに、この二次電池63を図示しない充電台へと設置させて、この二次電池63を充電する。
【００６３】
次いで、充電済みの二次電池63を掃除機本体２に取り付けるとともに、この掃除機本体２に集塵カップ12を取り付ける場合には、まず、電池保持蓋66にて電池収容口64を開口させた状態で、この電池収容口64を介して電池収容室65内に二次電池63を収容させる。
【００６４】
この後、電池保持蓋66を閉動作させて、この電池保持蓋66の係合爪部68を電池収容口64の係合縁部67に係合させ、この電池収容口64を電池保持蓋66にて閉塞する。
【００６５】
そして、集塵カップ12の開口部18にフィルタ体24を取り付け、この開口部18をフィルタ体24にて閉塞する。
【００６６】
この後、この集塵カップ12のハンドル体21の把持部22を把持し、カップ収容口14を介してカップ収容部13内に集塵カップ12のカップ部15を収容させるとともに、この集塵カップ12の流入口19を連結管にて本体吸込口11に気密に連通させ、さらに、この集塵カップ12のハンドル体21の押圧凸部23にてレバー体44の係合片部45をケース体４の内側、すなわち間隙部50側へと押圧する。
【００６７】
すると、分割リブ25の係合ピン27が各ヒンジ体54の支持凹部55内で相対的に移動することにより、レバー体44の係合片部45が間隙部50へと移動して、この係合片部45の各係合凸部46によるケース体４の係合凹部47の各係合受部48への係合が解除される。
【００６８】
このため、モータケース32内のモータ31の自重にてこのモータケース32が下方へと移動して、図２に示すように、このモータケース32の吸気口34から突出したモータパッキン35の嵌合受部36が集塵カップ12の開口部18の嵌合段部20に気密に嵌合されて、このモータケース32内のモータ31の吸込側が集塵カップ12の開口部18に気密に連通される。
【００６９】
このとき、この集塵カップ12のハンドル体21の下端部が電池保持蓋66の外側面に近接するので、集塵カップ12の開口部18へのモータパッキン28の嵌合により、電池保持蓋66による電池収容口64の閉塞が保持される。
【００７０】
上述したように、上記一実施の形態によれば、掃除機本体２のカップ収容部13に集塵カップ12のカップ部15を収容させる際に、この集塵カップ12のハンドル体21の押圧凸部23にてレバー体44の係合片部45を押圧するだけで、このレバー体44の係合片部45によるケース体４の係合凹部47への係合を解除できる。
【００７１】
さらに、このレバー体44の係合片部45によるケース体４の係合凹部47への係合の解除で、モータケース32内のモータ31の自重にてこのモータケース32が下方へと移動して、このモータケース32のモータパッキン35を集塵カップ12の開口部18に気密に嵌合させて、この気密な嵌合をモータ31の自重にて付勢することができる。
【００７２】
このため、集塵カップ12の開口部18にモータ31の吸込側を付勢する図示しないロック機構などの付勢機構を集塵カップ12などに設けることなく、モータケース32内のモータ31の吸込側を、このモータ31の自重による集塵カップ12の開口部18へのモータパッキン35の付勢により、この開口部18へのモータ31の吸込側の気密性を容易に保持できる。
【００７３】
よって、モータ31の吸込側を集塵カップ12の開口部18に気密に連通させるために必要なシール材であるパッキンが、モータパッキン35のみで足りるので、モータ31の吸込側による集塵カップ12の開口部18へのモータパッキン35による気密性の保持を簡単な構成で確実かつ容易にできる。
【００７４】
また、モータケース32の吸気口34から突出したモータパッキン35の嵌合受部36を、集塵カップ12の開口部18の嵌合段部20に嵌合させることにより、この集塵カップ12の開口部18をモータケース32内のモータ31の吸込側の同心状に位置決め固定できる。このため、掃除機本体２のカップ収容部13などに集塵カップ12を位置決め固定させる図示しない位置決め機構などを設ける必要がなくなるので、この集塵カップ12の開口部18とモータ31の吸込側とを簡単な構成で確実に連通できる。
【００７５】
さらに、スライドスイッチ41を下方へと移動させるだけで、レバー体44の移動およびヒンジ体54の回転にてモータケース32が上方へと移動し、このモータケース32の吸気口34から突出したモータパッキン35による集塵カップ12の開口部18への気密な嵌合が解除されて、この集塵カップ12のカップ部15を掃除機本体２のカップ収容部13内から取り外すことができる。
【００７６】
またこのとき、スライドスイッチ41を下方へと移動させる際に、レバー体44の係合片部45をケース体４の係合凹部47に係合させることにより、モータケース32をケース体４内の上方に移動した状態を保持できる。このため、集塵カップ12の開口部18へのモータケース32のモータパッキン35による気密な嵌合を解除させた状態を保持できるので、スライドスイッチ41による下方への移動を押えてモータケース32を上方に移動させた状態を確保し続ける必要がなくなるから、掃除機本体２のカップ収容部13からの集塵カップ12のカップ部15の取り外しおよび取り付けをより容易にできる。
【００７７】
さらに、モータケース32の吸気口34から突出したモータパッキン35を介して、このモータケース32内のモータ31の吸込側を集塵カップ12の開口部18に気密に連通させたため、この開口部18からモータ31の吸込側までの吸気風路を最小限に短くできる。このため、この集塵カップ12からモータ31の吸込側までの風路損を最小限に抑制できる。
【００７８】
また、モータパッキン35の軸方向における長さ寸法を宜変化させて、モータケース32の吸気口34からのモータパッキン35の突出量を変化させることにより、集塵カップ12の開口部18に取り付けたフィルタ体24からモータ31までの距離を調整できる。このため、このフィルタ体24からモータ31までの距離を最良な値にすることにより、このモータ31による吸込効率をより効率良くできる。
【００７９】
なお、上記一実施の形態では、集塵カップ12のハンドル体21の押圧凸部23によるレバー体44の係合片部45の押圧により、モータケース32の上方への移動を保持する係合片部45による係合凹部47への係合を解除させたが、スライドスイッチ41を上方に向けて移動させることにより、係合片部45による係合凹部47への係合を解除できる。
【００８０】
さらに、モータケース32の吸気口34から突出したモータパッキン35を集塵カップ12の開口部18に嵌合させることにより、この開口部18にモータ31の吸込側を気密に連通させたが、この開口部18の開口端面にモータパッキン35の下端面を当接させて、この開口部18にモータ31の吸込側を気密に連通させてもよい。
【００８１】
また、モータケース32内に使用者の手などが入り込まないように、このモータケース32の吸気口34から突出したモータパッキン35の内部に格子状の図示しない仕切りなどを設けてもよい。
【００８２】
さらに、掃除機本体２の本体吸込口11に、回転にて床面の塵埃を掻き出す回転清掃体としての図示しない回転ブラシを取り付けてもよい。
【００８３】
【発明の効果】
本発明によれば、集塵部の取手がレバー体を押圧することでこのレバー体による電動送風機の保持が解除されて掃除機本体内の電動送風機が自重によって吸込側へ移動することで、封止手段が電動送風機の吸込側と集塵部の開口部側とで挟持されてこの電動送風機の吸込側が封止手段にて集塵部の開口部に気密に連通するから、封止手段の構成を簡単にでき、電動送風機の吸込側と集塵部の開口部とを確実に気密に連通できる。
【図面の簡単な説明】
【図１】本発明の電気掃除機の一実施の形態を示す説明側面図である。
【図２】同上電気掃除機の集塵部の開口部に電動送風機の吸込側を連通させた状態を示す説明側面図である。
【図３】同上集塵部の開口部から電動送風機の吸込側を取り外した状態を示す説明側面図である。
【図４】同上電動送風機の一部を示す斜視図である。
【図５】同上電動送風機の一部を示す説明上面図である。
【図６】同上電気掃除機の一部を示す分解斜視図である。
【図７】同上電気掃除機の一部を示す分解上面図である。
【図８】同上電気掃除機の一部を示す説明側面図である。
【図９】同上電気掃除機を示す説明上面図である。
【符号の説明】
１    電気掃除機
２    掃除機本体
12    集塵部としての集塵カップ
18    開口部
21 取手としてのハンドル体
31    電動送風機としてのモータ
35    封止手段としてのモータパッキン
44 レバー体
【図１】
0003909576.tif 000002
【図２】
0003909576.tif 000003
【図３】
0003909576.tif 000004
【図４】
0003909576.tif 000005
【図５】
0003909576.tif 000006
【図６】
0003909576.tif 000007
【図７】
0003909576.tif 000008
【図８】
0003909576.tif 000009
【図９】
0003909576.tif 000010